(57)【要約】【課題】Ｅ−ＤＣＨ等の上り高速信号に対して有効でないセルをアクティブセットから削除することにより、基地局のハードウェアリソースを有効に使用する。【解決手段】基地局１００、１０１は、移動端末１からの上り高速信号の受信状態を測定してＲＮＣ２００に定期的に通知する。ＲＮＣ２００は、各基地局１００、１０１から通知される受信状態（例えば、受信ＳＩＲ）に基づいてアクティブセットから削除するセルを決定する。ＲＮＣ２００は、アクティブセットから削除すると決定したセルに対して設定されている上り高速信号の無線回線を解放するための無線回線解放要求を基地局１００および移動端末１に対して送信する。ＲＮＣ２００からの無線回線解放要求を受けた基地局１００、移動端末１がそれぞれ無線回線を解放することによって、セル１１０はアクティブセットから削除される。【選択図】図１
2006157555.tif 000002
【特許請求の範囲】
【請求項１】
移動端末がセル間でハンドオーバを行う際に、当該移動端末との間で無線回線を設定するセルのリストであるアクティブセットに含めるセルを選択するためのアクティブセット選択方法であって、
前記アクティブセットに含まれているセルを構成している基地局が、上り回線においてデータを転送するために設定された上り高速信号の移動端末からの受信状態を測定して、該測定結果を基地局制御装置に通知するステップと、
基地局制御装置が、前記基地局から通知された上り高速信号の受信状態の測定結果に応じてアクティブセットから削除するセルを決定するステップと、
前記基地局制御装置が、アクティブセットから削除すると決定したセルに対して設定されている上り高速信号の無線回線を解放するための無線回線解放要求を基地局および移動端末に対して送信するステップと、を備えたアクティブセット選択方法。
【請求項２】
基地局が移動端末からの上り高速信号の受信状態を測定するステップでは、
基地局は、移動端末からの上り高速信号の受信ＳＩＲを測定して基地局制御装置に送信し、
基地局制御装置が基地局から通知された上り高速信号の受信状態の測定結果に応じてアクティブセットから削除するセルを決定するステップでは、
基地局制御装置は、前記基地局から通知された上り高速信号の受信ＳＩＲが、予め設定されたアクティブセット削除ＳＩＲ閾値以下となった状態がアクティブセット削除保護時間連続した場合、当該セルをアクティブセットから削除するセルとして決定する請求項１記載のアクティブセット選択方法。
【請求項３】
前記アクティブセット削除ＳＩＲ閾値が、各セルに対してそれぞれ設定されている目標ＳＩＲからアクティブセット削除ＳＩＲ閾値用オフセットを引いた値である請求項２記載のアクティブセット選択方法。
【請求項４】
前記基地局制御装置は、あるセルがアクティブセットに追加されてからアクティブセット追加保護時間が経過するまでは、当該セルの受信ＳＩＲと前記アクティブセット削除ＳＩＲ閾値との比較を行わない請求項２または３記載のアクティブセット選択方法。
【請求項５】
基地局が移動端末からの上り高速信号の受信状態を測定するステップでは、
基地局は、移動端末からの上り高速信号の受信ＳＩＲを測定して基地局制御装置に送信し、
基地局制御装置が基地局から通知された上り高速信号の受信状態の測定結果に応じてアクティブセットから削除するセルを決定するステップでは、
基地局制御装置は、前記基地局から通知された上り高速信号の受信ＳＩＲが、予め設定された第１のアクティブセット削除ＳＩＲ閾値以下となった状態がアクティブセット削除保護時間連続した場合、または前記第１のアクティブセット削除ＳＩＲ閾値よりも低い値である第２のアクティブセット削除ＳＩＲ閾値以下となった場合、当該セルをアクティブセットから削除するセルとして決定する請求項１記載のアクティブセット選択方法。
【請求項６】
前記第１および第２のアクティブセット削除ＳＩＲ閾値が、それぞれ、各セルに対してそれぞれ設定されている目標ＳＩＲから第１および第２のアクティブセット削除ＳＩＲ閾値用オフセットを引いた値である請求項５記載のアクティブセット選択方法。
【請求項７】
移動端末がセル間でハンドオーバを行う際に、当該移動端末との間で無線回線を設定するセルのリストであるアクティブセットに含めるセルを選択するためのアクティブセット選択方法であって、
前記アクティブセットに含まれているセルを構成している基地局が、上り回線においてデータを転送するために設定された上り高速信号の移動端末からの受信状態を測定するステップと、
前記基地局が、測定した上り高速信号の受信状態の測定結果に応じてアクティブセットから削除するセルを決定するステップと、
前記基地局が、アクティブセットから削除すると決定したセルに対して設定されている上り高速信号の切断要求を基地局制御装置に通知するステップと、
基地局制御装置が、前記基地局から受信した切断要求を受けた上り高速信号の無線回線を解放するための無線回線解放要求を基地局および移動端末に対して送信するステップと、を備えたアクティブセット選択方法。
【請求項８】
前記基地局が、アクティブセットから削除すると決定したセルに対して設定されている上り高速信号の切断要求を基地局制御装置に通知するステップでは、
前記基地局は、上り高速信号受信用ハードウェアリソースの使用率を監視し、該使用率が予め設定された値よりも高い場合のみ上り高速信号切断要求を基地局制御装置に対して送信する請求項７記載のアクティブセット選択方法。
【請求項９】
移動端末がセル間でハンドオーバを行う際に、当該移動端末との間で無線回線を設定するセルのリストであるアクティブセットに含めるセルを選択するためのアクティブセット選択方法であって、
前記アクティブセットに含まれているセルを構成している基地局が、上り回線においてデータを転送するために設定された上り高速信号の移動端末からの受信状態を測定するステップと、
前記基地局が、測定した上り高速信号の受信状態の測定結果に応じてアクティブセットから削除するセルを決定するステップと、
前記基地局が、制御信号のみのデータをアクティブセットから削除すると決定したセルに対して設定されている上り高速信号のデータとして基地局制御装置に送信するステップと、
基地局制御装置が、前記基地局から受信した制御信号のみのデータに対応した上り高速信号の無線回線を解放するための無線回線解放要求を移動端末に対して送信するステップと、を備えたアクティブセット選択方法。
【請求項１０】
移動端末がセル間でハンドオーバを行う際に、当該移動端末との間で無線回線を設定するセルのリストであるアクティブセットに含めるセルを選択するためのアクティブセット選択方法であって、
前記アクティブセットに含まれているセルを構成している基地局が、上り回線においてデータを転送するために設定された上り高速信号の移動端末からの受信状態を測定するステップと、
前記基地局が、測定した上り高速信号の受信状態の測定結果に応じてアクティブセットから削除するセルを決定するステップと、
前記基地局が、アクティブセットから削除すると決定したセルに対して設定されている上り高速信号に対する同期外れを基地局制御装置に通知するステップと、
基地局制御装置が、前記基地局から同期外れを通知された上り高速信号の無線回線を解放するための無線回線解放要求を移動端末に対して送信するステップと、を備えたアクティブセット選択方法。
【請求項１１】
基地局が移動端末からの上り高速信号の受信状態を測定するステップでは、
基地局は、移動端末からの上り高速信号の受信ＳＩＲを測定して基地局制御装置に送信し、
基地局が測定した上り高速信号の受信状態の測定結果に応じてアクティブセットから削除するセルを決定するステップでは、
基地局は、測定した上り高速信号の受信ＳＩＲが、予め設定されたアクティブセット削除ＳＩＲ閾値以下となった状態がアクティブセット削除保護時間連続した場合、当該セルをアクティブセットから削除するセルとして決定する請求項７から１０のいずれか１項記載のアクティブセット選択方法。
【請求項１２】
前記アクティブセット削除ＳＩＲ閾値が、各セルに対してそれぞれ設定されている目標ＳＩＲからアクティブセット削除ＳＩＲ閾値用オフセットを引いた値である請求項１１記載のアクティブセット選択方法。
【請求項１３】
前記基地局は、あるセルがアクティブセットに追加されてからアクティブセット追加保護時間が経過するまでは、当該セルの受信ＳＩＲと前記アクティブセット削除ＳＩＲ閾値との比較を行わない請求項１１または１２記載のアクティブセット選択方法。
【請求項１４】
基地局が移動端末からの上り高速信号の受信状態を測定するステップでは、
基地局は、移動端末からの上り高速信号の受信ＳＩＲを測定して基地局制御装置に送信し、
基地局が測定した上り高速信号の受信状態の測定結果に応じてアクティブセットから削除するセルを決定するステップでは、
基地局は、測定した上り高速信号の受信ＳＩＲが、予め設定された第１のアクティブセット削除ＳＩＲ閾値以下となった状態がアクティブセット削除保護時間連続した場合、または前記第１のアクティブセット削除ＳＩＲ閾値よりも低い値である第２のアクティブセット削除ＳＩＲ閾値以下となった場合、当該セルをアクティブセットから削除するセルとして決定する請求項７から１０のいずれか１項記載のアクティブセット選択方法。
【請求項１５】
前記第１および第２のアクティブセット削除ＳＩＲ閾値が、それぞれ、各セルに対してそれぞれ設定されている目標ＳＩＲから第１および第２のアクティブセット削除ＳＩＲ閾値用オフセットを引いた値である請求項１４記載のアクティブセット選択方法。
【請求項１６】
前記上り高速信号が、３ＧＰＰにより作成された規格において定義されているＥ−ＤＣＨである請求項１から１５のいずれか１項記載のアクティブセット選択方法。
【請求項１７】
複数の基地局と有線で接続され、各基地局へ無線回線の設定やハンドオーバ制御を行うための基地局制御装置であって、
移動端末がセル間でハンドオーバを行う際に、当該移動端末との間で無線回線を設定するセルのリストであるアクティブセットに含まれているセルを構成している基地局から通知された上り高速信号の受信状態の測定結果に応じてアクティブセットから削除するセルを決定し、アクティブセットから削除すると決定したセルに対して設定されている上り高速信号の無線回線を解放するための無線回線解放要求を基地局および移動端末に対して送信する基地局制御装置。
【請求項１８】
前記基地局から上り高速信号の受信状態の測定結果として通知された受信ＳＩＲが、予め設定されたアクティブセット削除ＳＩＲ閾値以下となった状態がアクティブセット削除保護時間連続した場合、当該セルをアクティブセットから削除するセルとして決定する請求項１７記載の基地局制御装置。
【請求項１９】
基地局制御装置からの制御に基づいて移動端末との間で無線回線を設定する基地局であって、
移動端末がセル間でハンドオーバを行う際に、当該移動端末との間で設定している無線回線における上り高速信号の受信状態を測定し、測定した上り高速信号の受信状態の測定結果に応じてアクティブセットから削除するセルを決定し、アクティブセットから削除すると決定したセルに対して設定されている上り高速信号の切断要求を基地局制御装置に通知する基地局。
【請求項２０】
上り高速信号受信用ハードウェアリソースの使用率を監視する手段を備え、該使用率が予め設定された値よりも高い場合のみ上り高速信号切断要求を基地局制御装置に対して送信する請求項１９記載の基地局。
【請求項２１】
基地局制御装置からの制御に基づいて移動端末との間で無線回線を設定する基地局であって、
移動端末がセル間でハンドオーバを行う際に、当該移動端末との間で設定している無線回線における上り高速信号の受信状態を測定し、測定した上り高速信号の受信状態の測定結果に応じてアクティブセットから削除するセルを決定し、制御信号のみのデータをアクティブセットから削除すると決定したセルに対して設定されている上り高速信号のデータとして基地局制御装置に送信する基地局。
【請求項２２】
基地局制御装置からの制御に基づいて移動端末との間で無線回線を設定する基地局であって、
移動端末がセル間でハンドオーバを行う際に、当該移動端末との間で設定している無線回線における上り高速信号の受信状態を測定し、測定した上り高速信号の受信状態の測定結果に応じてアクティブセットから削除するセルを決定し、アクティブセットから削除すると決定したセルに対して設定されている上り高速信号に対する同期外れを基地局制御装置に通知する基地局。
【請求項２３】
移動端末からの上り高速信号の受信状態として上り高速信号の受信ＳＩＲを測定し、測定した受信ＳＩＲが、予め設定されたアクティブセット削除ＳＩＲ閾値以下となった状態がアクティブセット削除保護時間連続した場合、当該セルをアクティブセットから削除するセルとして決定する請求項１９から２２のいずれか１項記載の基地局。
【請求項２４】
同時に複数の基地局との間で無線回線を設定することが可能な移動端末と、
基地局制御装置からの制御に基づいて前記移動端末との間で無線回線を設定し、前記移動端末がハンドオーバを行う際に、上り回線においてデータを転送するために設定された上り高速信号の前記移動端末からの受信状態を測定し、該測定結果を基地局制御装置に通知する基地局と、
複数の基地局と有線で接続され、当該移動端末との間で無線回線を設定するセルのリストであるアクティブセットに含まれているセルを構成している基地局から通知された上り高速信号の受信状態の測定結果に応じて、アクティブセットから削除するセルを決定し、アクティブセットから削除すると決定したセルに対して設定されている上り高速信号の無線回線を解放するための無線回線解放要求を前記基地局および前記移動端末に対して送信する基地局制御装置と、
を備えたＣＤＭＡ移動通信システム。
【請求項２５】
同時に複数の基地局との間で無線回線を設定することが可能な移動端末と、
基地局制御装置からの制御に基づいて移動端末との間で無線回線を設定し、前記移動端末がセル間でハンドオーバを行う際に、当該移動端末との間で設定している無線回線における上り高速信号の受信状態を測定し、測定した上り高速信号の受信状態の測定結果に応じてアクティブセットから削除するセルを決定し、アクティブセットから削除すると決定したセルに対して設定されている上り高速信号の切断要求を基地局制御装置に通知する基地局と、
前記基地局から通知された切断要求を受けた上り高速信号の無線回線を解放するための無線回線解放要求を前記移動端末に対して送信する基地局制御装置と、
を備えたＣＤＭＡ移動通信システム。
【請求項２６】
同時に複数の基地局との間で無線回線を設定することが可能な移動端末と、
基地局制御装置からの制御に基づいて移動端末との間で無線回線を設定し、前記移動端末がセル間でハンドオーバを行う際に、当該移動端末との間で設定している無線回線における上り高速信号の受信状態を測定し、測定した上り高速信号の受信状態の測定結果に応じてアクティブセットから削除するセルを決定し、制御信号のみのデータをアクティブセットから削除すると決定したセルに対して設定されている上り高速信号のデータとして基地局制御装置に送信する基地局と、
前記基地局から受信した制御信号のみのデータに対応した上り高速信号の無線回線を解放するための無線回線解放要求を前記移動端末に対して送信する基地局制御装置と、
を備えたＣＤＭＡ移動通信システム。
【請求項２７】
同時に複数の基地局との間で無線回線を設定することが可能な移動端末と、
基地局制御装置からの制御に基づいて移動端末との間で無線回線を設定し、前記移動端末がセル間でハンドオーバを行う際に、当該移動端末との間で設定している無線回線における上り高速信号の受信状態を測定し、測定した上り高速信号の受信状態の測定結果に応じてアクティブセットから削除するセルを決定し、アクティブセットから削除すると決定したセルに対して設定されている上り高速信号に対する同期外れを基地局制御装置に通知する基地局と、
前記基地局から同期外れを通知された上り高速信号の無線回線を解放するための無線回線解放要求を前記移動端末に対して送信する基地局制御装置と、
を備えたＣＤＭＡ移動通信システム。
【発明の詳細な説明】
【技術分野】
【０００１】
本発明は、移動通信システムの上り高速信号に対するアクティブセット選択方式に関する。
【背景技術】
【０００２】
近年移動体通信システムとして注目を集めているＣＤＭＡ移動通信システムでは、移動端末は、同時に複数の基地局との間で無線回線を設定することが可能である。そのため、移動端末が複数の基地局の通信エリア内を移動する際には、複数の基地局との間で無線回線を設定しながら接続相手の基地局を切り換えていくハンドオーバを行うことにより回線が切断されることなく移動をすることが可能となる。
【０００３】
そして、このようなハンドオーバが行われる際には、ＣＤＭＡ移動通信システムでは、１つの移動端末に対して無線回線が設定されているセルをアクティブセットとして管理している。つまり、アクティブセットとは、ハンドオーバの際に、１つの移動端末に対して無線回線を設定するセルのリストを意味している。そして、移動端末が移動するのに伴いアクティブセットに含まれるセルが追加されたり削除されたりすることによりアクティブセットに含まれるセルは変化する。
【０００４】
１つの基地局により１つのセルを構成している場合には、移動端末は基地局との間に無線回線を設定し、基地局間でハンドオーバを行うことになる。このような場合には、アクティブセットはどの移動端末との間で無線回線を設定している基地局のリストになる。しかし、実際には指向性を有するアンテナ等を用いることにより１つの基地局により複数のセルを構成している場合があるため、ハンドオーバはセル単位で行われる。そのため、アクティブセットは移動端末との間で無線回線を設定しているセルのリストとなる。
【０００５】
そのため、セルとは、単に基地局との通信が可能な通信エリアを示すだけのものではなく、移動端末との間で無線回線を設定する対象であるものとして説明する。
【０００６】
このようなＣＤＭＡ移動通信システムにおけるハンドオーバを図８を参照して説明する。このＣＤＭＡ移動通信システムは、ＲＮＣ(Radio Network Controller：基地局制御装置）４００と、基地局３００、３０１とを備えている。ここでいうＲＮＣとは、複数の基地局と接続されており、各基地局へ移動端末との間の無線回線の設定や基地局間のハンドオーバ制御などを行う上位装置のことを言う。この図８では、基地局３００のセル３１０に在圏していた移動端末２１が、移動することにより基地局３０１のセル３１１に移動した場合を示している。
【０００７】
どのセルをアクティブセットに含めるかを選択するためのアクティブセット選択方法としては、様々な方法が用いられている（例えば、特許文献１、２参照。）。このような従来のアクティブセット選択方法のうち、移動端末が各基地局からの下り回線の基準信号電力を測定してアクティブセットの選択を行うようにした方法を図９を参照して説明する。
【０００８】
（１）移動端末２１は、セル３１０と呼接続されている状態で、隣接するセル３１１の下り基準電力を定期的に測定する。
【０００９】
（２）そして、セル３１１の下り基準信号電力が大きくなると、移動端末２１は基地局３１０との間に設定されている無線回線を経由してＲＮＣ４００に対して、セル３１１をアクティブセットに追加するための制御信号(イベントトリガ)を送信する。
【００１０】
（３）ＲＮＣ２００は移動端末２１からのアクティブセット追加の制御信号を受けて、基地局３０１及び移動端末２１に対して、セル３１１における無線回線設定を要求する。
【００１１】
（４）基地局３０１と移動端末２１は、ＲＮＣ４００からの無線回線設定要求を受信したことにより、セル３１１において無線回線を設定し、通信を開始する。
【００１２】
（５）そして、移動端末２１がセル３１１に移動することによりセル３１０の下り基準信号電力が小さくなると、移動端末２１は、基地局３００もしくは基地局３０１との間に設定されている無線回線を介してＲＮＣ４００にセル３１０をアクティブセットから削除するための制御信号(イベントトリガ)を送信する。
【００１３】
（６）移動端末２１からセル３１０をアクティブセットから削除するためのイベントトリガを受信したＲＮＣ４００は、基地局３００及び移動端末２１に対して、無線回線解放を要求する。
【００１４】
（７）ＲＮＣ４００からの無線回線解放要求を受信した基地局３００及び移動端末２１が設定されていた無線回線を解放することにより、セル３１０はアクティブセットから削除される。
【００１５】
図９に示したような処理が行われる際に、セル３１０およびセル３１１の下り基準信号電力の変化と、セル３１１をアクティブセットに追加するタイミング、またはセル３１０をアクティブセットから削除するタイミングとの関係を図１０に示す。
【００１６】
移動端末２１は、現在無線回線が設定されているセル３１０及び隣接するセル３１１の下り基準信号の電力を測定する。アクティブセットに含まれていないセル３１１の下り基準信号電力がアクティブセット追加閾値を超えたときに(ポイントＰ１)、移動端末２１はセル３１１をアクティブセットに追加するためのイベントトリガを生成し、ＲＮＣ４００に通知する。
【００１７】
一方、アクティブセットに含まれているセル３１０の下り基準信号がアクティブセット削除閾値を下回ったときに(ポイントＰ２)、移動端末２１はセル３１０をアクティブセットから削除するためのイベントトリガを生成し、ＲＮＣ４００に通知する
上記のような処理が行われることにより、移動端末２１がセル３１０からセル３１１に移動した際に、セル３１０からセル３１１へのハンドオーバが行われる。
【００１８】
近年、移動端末から動画を送信したりネットゲームでの高速応答性が要求されるため、移動端末から基地局への上り回線において大容量のデータを転送可能とすることが要求されるようになってきている。このような要求を満たすため、第三世代移動通信システムの国際規格を検討している標準化プロジェクトである３ＧＰＰ（3rd Generation Partnership Project）により作成された規格である3GPP TR 25.896において、Ｅ−ＤＣＨ（Enhanced - Dedicated CHannels）という新しいチャネルが導入された。このＥ−ＤＣＨは、上り回線ではデータの転送を行い、下り回線にはデータ送信のための制御情報のみを転送する構造になっている。
【００１９】
このようなＥ−ＤＣＨ等の上り高速信号を導入する際には、有限の無線リソースを複数のユーザで有効に使用するために、基地局は移動端末に対して上り高速信号のレートや送信タイミングを指定するスケジューリング機能や、再送制御の機能を備えることが必要となる。
【００２０】
上述したような従来のアクティブセット選択方法では、移動端末において各基地局からの下り回線の基準信号電力に基づいてアクティブセットに含めるセルの選択を行っていた。しかし、上りと下りの無線伝搬環境はかならずしも同じではなく大きく異なる場合もあるため、上り回線において大容量のデータの転送を行う上り高速信号に対して従来のアクティブセット選択方法によりハンドオーバを実施した場合、必ずしも上り高速信号に対して有効な無線回線が設定されているセルをアクティブセットに含めることができない場合がある。
【００２１】
つまり、下り回線における無線伝搬環境は良好だが上り回線における無線伝搬環境が悪いようなセルをアクティブセットに含めたままとしたのでは、上り高速信号に対して有効ではないセルがアクティブセットに含まれることになる。そして、あるセルがアクティブセットに含まれていると、そのセルを構成している基地局では移動端末との間で無線回線を設定しなければならないため、無駄なハードウェアリソースを移動端末に割り当てることになってしまう。
【００２２】
特に、上り高速信号では、上り回線において大容量のデータが転送されるため、各基地局で上り高速信号を受信するためには通常の個別信号よりも多くのハードウェアリソースが必要とされる。そのため、従来のように移動端末が下り基準信号を元にアクティブセットに含める基地局を決定したのでは、逆拡散器等の基地局のハードウェアリソースを無駄に消費してしまうことが懸念される。
【００２３】
また、従来のＣＤＭＡ移動通信システムのように、移動端末とＲＮＣ間でアクティブセットの追加及び削除を制御した場合、制御時間がかかりハードウェアリソースの浪費につながる可能性がある。
【特許文献１】特開２０００−１９７０９２号公報
【特許文献２】特開２００３−１８９３６８号公報
【発明の開示】
【発明が解決しようとする課題】
【００２４】
上述した従来のアクティブセット選択方法では、下記のような問題点があった。
（１）ハンドオーバ処理の際に、移動端末において基地局からの下り基準信号電力を測定してアクティブセットに含まれるセルの中から削除するセルを選択していたため、Ｅ−ＤＣＨ等の上り高速信号に対して有効でないセルをアクティブセットに含めたままとしてしまう場合がある。
（２）移動端末と基地局制御装置との間でアクティブセットの追加または削除の処理を行っているため、処理に時間がかかる。
【００２５】
本発明の目的は、Ｅ−ＤＣＨ等の上り高速信号に対して有効なセルのみを、アクティブセットに含めるセルとして選択することができる、ＣＤＭＡ移動通信システムと基地局およびアクティブセット選択方法を提供することである。
【課題を解決するための手段】
【００２６】
上記目的を達成するために、本発明は、移動端末がセル間でハンドオーバを行う際に、当該移動端末との間で無線回線を設定するセルのリストであるアクティブセットに含めるセルを選択するためのアクティブセット選択方法であって、
前記アクティブセットに含まれているセルを構成している基地局が、上り回線においてデータを転送するために設定された上り高速信号の移動端末からの受信状態を測定して、該測定結果を基地局制御装置に通知するステップと、
基地局制御装置が、前記基地局から通知された上り高速信号の受信状態の測定結果に応じてアクティブセットから削除するセルを決定するステップと、
前記基地局制御装置が、アクティブセットから削除すると決定したセルに対して設定されている上り高速信号の無線回線を解放するための無線回線解放要求を基地局および移動端末に対して送信するステップとを備えている。
【００２７】
また、基地局が移動端末からの上り高速信号の受信状態を測定するステップでは、
基地局は、移動端末からの上り高速信号の受信ＳＩＲを測定して基地局制御装置に送信し、
基地局制御装置が基地局から通知された上り高速信号の受信状態の測定結果に応じてアクティブセットから削除するセルを決定するステップでは、
基地局制御装置は、前記基地局から通知された上り高速信号の受信ＳＩＲが、予め設定されたアクティブセット削除ＳＩＲ閾値以下となった状態がアクティブセット削除保護時間連続した場合、当該セルをアクティブセットから削除するセルとして決定するようにしてもよい。
【００２８】
本発明によれば、ＣＤＭＡ移動通信システムにおいて移動端末から基地局への上り高速信号をハンドオーバによって複数の基地局が受信する場合において、基地局制御装置（ＲＮＣ：Radio Network Controller）が各基地局で測定される上り高速信号の受信状態を監視し、受信状態が悪い無線回線を解放することにより不要なセルをアクティブセットから削除するようにしているので、基地局の上り高速信号受信に必要な逆拡散器などのハードウェアリソースを有効に使用することが可能となる。
【００２９】
また、本発明の他のアクティブセット選択方法は、移動端末がセル間でハンドオーバを行う際に、当該移動端末との間で無線回線を設定するセルのリストであるアクティブセットに含めるセルを選択するためのアクティブセット選択方法であって、
前記アクティブセットに含まれているセルを構成している基地局が、上り回線においてデータを転送するために設定された上り高速信号の移動端末からの受信状態を測定するステップと、
前記基地局が、測定した上り高速信号の受信状態の測定結果に応じてアクティブセットから削除するセルを決定するステップと、
前記基地局が、アクティブセットから削除すると決定したセルに対して設定されている上り高速信号の切断要求を基地局制御装置に通知するステップと、
基地局制御装置が、前記基地局から受信した切断要求を受けた上り高速信号の無線回線を解放するための無線回線解放要求を基地局および移動端末に対して送信するステップとを備えている。
【００３０】
本発明では、ＣＤＭＡ移動通信システムにおいて移動端末から基地局への上り高速信号をハンドオーバによって複数の基地局が受信する場合において、基地局自体が測定された上り高速信号の受信状態をもとにアクティブセットから削除するセルを決定して、基地局制御装置に対して削除すると決定したセルに対応した無線回線の切断要求を出し、基地局制御装置はこの切断要求に応じて無線回線を解放するようにしている。従って、上り高速信号に対するアクティブセットの制御を、通常の個別信号に対するアクティブセットの制御よりも高速に実現でき、不要なセルがアクティブセットから削除されることにより、基地局のハードウェアリソースの浪費を抑制することが可能となる。
【００３１】
また、基地局では、ハードウェアリソースの使用率が高いときのみ上り高速信号の切断要求を基地局制御装置に送信するようにすることによって、トラフィック量に応じたハードウェアリソースの有効利用が可能となる。
【００３２】
さらに、前記基地局は、無線回線切断要求を基地局制御装置に送信することなく、切断しようとする上り高速信号のデータとして制御信号のみのデータを基地局制御装置に対して送信したり、切断しようとする上り高速信号に対する同期外れを基地局制御装置に通知するようにしてもよい。
【発明の効果】
【００３３】
以上説明したように、本発明によれば、上り高速信号に対して基地局制御装置もしくは各基地局が、各セルの無線回線をアクティブセットから削除するかどうかを上り高速信号の受信状態に応じて制御することによって、ハンドオーバ時の上り高速信号に対するアクティブセットの選択をより効率的に行うことができ、基地局のハードウェアリソースの浪費を抑えることができる。
【００３４】
また、上記制御を基地局主導で制御することによって、上り高速信号に対するアクティブセットの制御を、通常の個別信号に対するアクティブセットの制御よりも高速に実現することができる。
【００３５】
更に、不要なアクティブセットを削除することによって、下り制御信号に使用する無線リソースを最小限に抑える効果もある。
【発明を実施するための最良の形態】
【００３６】
次に、本発明の実施の形態について図面を参照して詳細に説明する。
【００３７】
（第１の実施形態）
図１に、上り高速信号がハンドオーバ状態で、アクティブセット内のセルを構成する基地局が移動端末からの上り高速信号を受信する場合に、ＲＮＣがアクティブセットの削除制御を行う方法を示す。
【００３８】
本実施形態のＣＤＭＡ移動通信システムは、ＲＮＣ(Radio Network Controller：基地局制御装置）２００と、基地局１００、１０１とを備えている。そして、以下では、移動端末１が基地局１００により構成されたセル１１０から、基地局１０１により構成されたセル１１１に移動した場合を例として説明を行う。
【００３９】
図１のように移動端末１に対するアクティブセットに含まれるセル１１０、１１１を構成する基地局１００及び１０１は、移動端末１からの上り高速信号に対して、送信パワーや伝送レートなどを指定する下り制御信号を送信すると共に、上り高速信号に対する受信状態(受信ＳＩＲ（Signal to Interference power Ratio）など)を測定し、ＲＮＣ２００に通知する。ＲＮＣ２００はブロック誤り率（Block Error Rate）などの所要品質を満たすために各基地局１００、１０１に目標ＳＩＲ（Target SIR）を設定しているが、設定された目標ＳＩＲに対して基地局１００から通知される受信ＳＩＲが改善されない場合は、ＲＮＣ２００は基地局１００及び移動端末１に対して、セル１１０に張られている上り高速信号の無線回線解放要求を送信する。
【００４０】
本実施形態のＣＤＭＡ移動通信システムにおけるアクティブセット選択方法では、ＲＮＣ２００が主導でアクティブセットから削除するセットを決定することに特徴がある。また、本実施形態のアクティブセット選択方法では、上り高速信号のハンドオーバを行う際に、アクティブセットからセルを削除する場合の新しい処理が従来の方法に対して加わったものであり、その他の処理については従来の方法と同様である。つまり、Ｅ−ＤＣＨ等の上り高速信号以外の通常のチャネルについては従来の方法によりアクティブセットへの追加またはアクティブセットからの削除が行われる。また、上り高速信号については、アクティブセットへ追加する処理は従来の方法と同様であり、アクティブセットから削除する処理についても従来行われていた処理はそのまま残り本発明による処理が新たに加わっただけである。
【００４１】
本実施形態におけるＲＮＣは、移動端末がセル間でハンドオーバを行う際に、移動端末に対して設定されているアクティブセットに含まれているセルを構成している基地局から通知された上り高速信号の受信状態の測定結果に応じてアクティブセットから削除するセルを決定し、アクティブセットから削除すると決定したセルに対して設定されている上り高速信号の無線回線を解放するための無線回線解放要求を基地局および移動端末に対して送信する。
【００４２】
次に、図１を参照して本実施形態のアクティブセット選択方法の処理について説明する。
【００４３】
先ず、ＲＮＣ２００は、基地局１００、１０１に対して予め目標ＳＩＲを通知しておく。また、ＲＮＣ２００は、移動端末１から各基地局１００、１０１の下り基準信号の受信状態の報告を受けて、移動端末１の信号に対するアクティブセットを決めて基地局１００、１０１に移動端末１からの上り信号を受信できるように、無線回線を設定する。
【００４４】
（１）アクティブセットに含まれるセル１１０、１１１を構成している各基地局１００、１０１は、移動端末１からの上り高速信号に対して受信パイロット信号を用いて受信ＳＩＲなどの受信状態を測定し、受信ＳＩＲがＲＮＣ２００から通知される目標ＳＩＲ（Target SIR）に一致するように、上り高速信号の送信電力制御(ＴＰＣ：Transmission Power Control）情報やレート制御(Rate Grant)情報などの制御信号を移動端末１に対して下り制御信号として送信する。
【００４５】
（２）また、各基地局１００、１０１は上り高速信号に対する受信状態をＲＮＣ２００に定期的に通知する。
【００４６】
移動端末１はアクティブセットの各基地局１００、１０１からの制御信号を受信し、これらの制御信号を合成もしくは選択して上り高速信号の送信パワーや送信レートなどの設定を行う。
【００４７】
このとき、例えば基地局１００と基地局１０１が異なる制御信号を送信し、移動端末１が基地局１０１の制御信号に従って上り高速信号を送信した場合、基地局１００で測定される上り高速信号に対する受信状態は更に劣化する可能性がある。移動端末１がその後も基地局１０１の制御信号に従って上り高速信号を送信すると、基地局１００で受信される上り高速信号の受信ＳＩＲは、ＲＮＣ２００から設定される目標ＳＩＲに対して改善されない状態になる。
【００４８】
（３）ＲＮＣ２００は、ＲＮＣ２００から各基地局１００１、１０１に設定する目標ＳＩＲと、各基地局１００、１０１から通知される受信ＳＩＲの差を監視し、例えば目標ＳＩＲに対する基地局１００の受信ＳＩＲの差が改善されない場合は、移動端末１は基地局１００以外の下り制御信号に従って上り高速信号を送信しているものと判断する。
【００４９】
（４）そして、ＲＮＣ２００は、基地局１００に設定されている上り高速信号の無線回線を切断するために移動端末１及び基地局１００に対して、上り高速信号を解放する制御信号を送信する。
【００５０】
本実施形態のアクティブセット選択方法によれば、基地局１００、１０１において上り高速信号の受信状態を測定してＲＮＣ２００にその測定結果を通知し、ＲＮＣ２００では通知された上り高速信号の測定結果に基づいてアクティブセットから削除するセルを決定している。そのため、上り回線においてデータを転送するために設定されているＥ−ＤＣＨ等の上り高速信号をハンドオーバするような場合、従来のように下り基準電力に基づいてアクティブセットから削除するセルを決定していたのと比較してより適切なセルのみをアクティブセットに残すことが可能となる。そのため、有効でないセルがアクティブセットから削除される可能性が高くなり、基地局において上り高速信号を受信するためのハードウェアリソースを有効に利用することができるようになる。
【００５１】
また、アクティブセットとは、各移動端末に対してそれぞれ１つ設けられるものであるが、将来的に１つの移動端末が下り高速信号（ＨＳＰＤＡ（High-Speed Downlink Packet Access）と上り高速信号（Ｅ−ＤＣＨ）を同時に送受信する場合には、別々のアクティブセットになる可能性もある。
【００５２】
（第２の実施形態）
次に、本発明の第２の実施形態のアクティブセット選択方法について説明する。
【００５３】
上記で説明した第１の実施形態のアクティブセット選択方法では、基地局によって測定された上り高速信号の受信状態に基づいてＲＮＣ主導でアクティブセットの削除を行う場合であった。これに対して、本発明の第２の実施形態のアクティブセット選択方法では、基地局主導でアクティブセットの削除制御を行う方法を示す。
【００５４】
本実施形態における基地局は、移動端末がセル間でハンドオーバを行う際に、移動端末との間で設定している無線回線における上り高速信号の受信状態を測定し、測定した上り高速信号の受信状態の測定結果に応じてアクティブセットから削除するセルを決定し、アクティブセットから削除すると決定したセルに対して設定されている上り高速信号の切断要求をＲＮＣに通知する。そして、この基地局から切断要求を通知されたＲＮＣでは、通知された切断要求を受けた上り高速信号の無線回線を解放するための無線回線解放要求を移動端末２１に対して送信する。
【００５５】
次に、本実施形態のアクティブセット選択方法を図２を参照して説明する。この図２では、基地局１００が受信ＳＩＲを監視し、ＲＮＣ２００から設定される目標ＳＩＲに対して受信ＳＩＲが改善されない場合は、基地局１００はＲＮＣ２００に対して、移動端末１のアクティブセットから削除するように回線切断要求をあげる方法も考えられる。基地局１００から回線切断要求を受けたＲＮＣ２００は、基地局１００及び移動端末１に対して、セル１１０に張られている上り高速信号の無線回線解放要求を送信する。
【００５６】
この本実施形態における処理を、図２に基づいて順次説明する。
【００５７】
（１）アクティブセットに含まれるセル１１０、１１１を構成している各基地局１００及び１０１は、上り高速信号の受信状態を測定するとともに、ＲＮＣ２００から通知された目標ＳＩＲと受信ＳＩＲとの差を監視する。
【００５８】
（２）図１の場合と同じように基地局１００で上り高速信号の目標ＳＩＲに対する受信ＳＩＲが改善されない場合は、基地局１００は移動端末１が他の基地局１０１の制御信号に従って上り高速信号を送信しているものと判断し、基地局１００はＲＮＣ２００に対して上り高速信号の切断要求を報告する。
【００５９】
（３）ＲＮＣ２００は基地局１００からの切断要求を受信すると、基地局１００をアクティブセットから削除するために基地局１００及び移動端末１に対して上り高速信号の無線回線を解放するよう制御信号を送信する。
【００６０】
（４）そして、ＲＮＣ２００からの無線回線解放要求を受けて、基地局１００及び移動端末１がそれぞれ、移動端末１との間に設定されている無線回線及び基地局１００との間に設定されている無線回線をそれぞれ解放することによって、基地局１００はアクティブセットから削除される。
【００６１】
また、本実施形態のように基地局主導でＲＮＣに対して上り高速信号の回線切断要求を行う場合、基地局に逆拡散器などの上り高速信号受信用ハードウェアリソースの使用率を監視する機能を設けるようにして、リソースの使用率がある値よりも高い場合のみ図２に示す上り高速信号切断要求をＲＮＣに対して送信するようにしてもよい。ここでハードウェアリソースの使用率とは、基地局に備えられているハードウェアのうち実際に使用されているものの割合等を指している。例えば、基地局に備えられた逆拡散器のうち７０％以上が使用された状態となった場合に、上り高速信号切断要求をＲＮＣに送信するようにする。
【００６２】
次に、上記第１および第２の本実施形態のアクティブセット選択方法において、上り高速信号の受信状態の変化と、アクティブセットにセル追加するタイミング、またはアクティブセットからセルを削除するタイミングとの関係を図３から図５を参照して説明する。
【００６３】
以下の説明では、上り高速信号の受信状態として受信ＳＩＲを用いた場合について説明する。また、ＲＮＣまたは基地局は、上り高速信号の受信ＳＩＲがアクティブセット削除ＳＩＲ閾値以下かどうかによって受信状態の判定を行う。ここで、アクティブセット削除ＳＩＲ閾値は、各セルに対して設定されている目標ＳＩＲからアクティブセット削除ＳＩＲ閾値用オフセットを引くことにより算出する。
【００６４】
なお、アクティブセット削除ＳＩＲ閾値用オフセット及びアクティブセット削除保護時間は、ＲＮＣ２００もしくは基地局１００、１０１毎に設定されるパラメータで、それぞれの値を大きく設定するほど、上り高速信号に対するアクティブセットは削除され難くなる。
【００６５】
そして、ＲＮＣもしくは基地局は、何等かのノイズ等により誤ってアクティブセットからセルを削除してしまわないように、上り高速信号の受信ＳＩＲが予め設定されたアクティブセット削除ＳＩＲ閾値以下となった状態がアクティブセット削除保護時間の間連続した場合に、そのセルをアクティブセットから削除するセルとして決定する。
【００６６】
また、アクティブセットに追加された直後の追加されたセルでの受信ＳＩＲは、アクティブセット削除ＳＩＲ閾値を下回っている可能性があるが、この状態ではアクティブセット追加保護時間の間は受信ＳＩＲがアクティブセット削除ＳＩＲ閾値を下回っていたとしても、ＲＮＣ２００もしくは基地局１００、１０１は上り高速信号の解放は行わないように保護をかける。つまり、ＲＮＣ２００もしくは基地局１００、１０１は、下り基準信号の受信電力がアクティブセット追加閾値を越えてある基地局がアクティブセットに追加された場合、アクティブセット追加保護時間が経過するまでは上り高速信号の受信ＳＩＲとアクティブセット削除ＳＩＲ閾値との比較を行わないようにする。
【００６７】
これらのパラメータを適切に設定することによって、伝播環境におけるフェージングなどの瞬時の受信状態劣化に対するアクティブセットからの誤削除を防ぐことができる。
【００６８】
先ず、図３にＲＮＣ２００もしくはアクティブセット内の基地局１００、１０１が受信状態の悪いセルの上り高速信号を解放し、アクティブセットから削除する際の動作を示す。
【００６９】
移動端末１からの上り高速信号に対して、セル１１１がポイントＰ１にいおいてアクティブセットとして追加された場合に、移動端末１がセル１１１の下り制御信号に従って上り高速信号の送信パワー及び伝送レートを変えると、セル１１１での上り信号に対する受信ＳＩＲは、ＲＮ２００Ｃから指示された目標ＳＩＲに近づく。
【００７０】
しかし、セル１１０の基地局１００から送信される制御信号がセル１１１から送信される制御信号と異なる場合は、セル１１０では要求した送信パワーや伝送レートに従わずに上り高速信号が送信されるために、セル１１０での上り高速信号に対する受信ＳＩＲが目標ＳＩＲに近づかずに劣化する。
【００７１】
そして、ポイントＰ２において移動端末１からの上り高速信号の受信ＳＩＲがアクティブセット削除ＳＩＲ閾値以下となり、その状態がアクティブセット削除保護時間の間続いた場合、ＲＮＣ２００もしくはセル１１０の基地局１００は、セル１１０の上り高速信号を解放する。
【００７２】
次に、図４に図３とは異なる受信状態での制御方法を示す。ポイントＰ１においてセル１１１がアクティブセットに追加されても、移動端末１がセル１１０の下り制御信号に従って上り高速信号を送信した場合、セル１１１の基地局１０１で測定される上り高速信号に対する受信ＳＩＲが目標ＳＩＲに対して改善されない場合がある。アクティブセット追加保護時間の間は受信ＳＩＲがアクティブセット削除ＳＩＲ閾値を下回っていてもＲＮＣ２００もしくはセル１１１の基地局１０１はアクティブセットの削除は行わないが、アクティブセット追加保護時間を経過し、ポイントＰ２の時刻からアクティブセット削除保護時間が経過した後も受信ＳＩＲがセル１１１のアクティブセット削除ＳＩＲ閾値に達しない場合は、ＲＮＣ２００もしくはセル１１１の基地局１０１は、上り高速信号に対するセル１１１をアクティブセットから削除する。
【００７３】
（第３の実施形態）
次に、本発明の第３の実施形態のアクティブセット選択方法について説明する。
【００７４】
上記第１および第２の実施形態では、アクティブセット削除保護時間を設け、あるセルにおける上り高速信号の受信ＳＩＲがアクティブセット削除ＳＩＲ閾値以下となっても、アクティブセット削除保護時間が経過するまでは、そのセルがアクティブセットから削除されなかった。しかし、移動端末１が移動することによりあるセルの電波状態が急激に変化した場合には、アクティブセット削除保護時間が経過するのを待つことなくそのセルをアクティブセットから削除したほうが良い場合がある。
【００７５】
本実施形態におけるアクティブセット選択方法はこのような場合を考慮したものであり、ＲＮＣもしくは各基地局は、アクティブセットを削除する条件として第１のアクティブセット削除ＳＩＲ閾値用オフセットと第２のアクティブセット削除ＳＩＲ閾値用オフセットという２つの値を使用する。ここで、第１および第２のアクティブセット削除ＳＩＲ閾値用オフセット１は下記の条件を満たすように設定されるものとする。つまり、第２のアクティブセット削除ＳＩＲ閾値は、第１のアクティブセット削除ＳＩＲ閾値よりも小さい値となる。
第１のアクティブセット削除ＳＩＲ閾値用オフセット１  ＜  第２のアクティブセット削除ＳＩＲ閾値用オフセット
ＲＮＣまたは各基地局は、あるセルの上り高速信号の受信ＳＩＲが第２のアクティブセット削除ＳＩＲ閾値以下となった場合、アクティブセット削除保護時間の経過を待つことなく、そのセルをアクティブセットから削除することを決定する。
【００７６】
そして、第１および第２のアクティブセット削除ＳＩＲ閾値は、それぞれ、各セルに対してそれぞれ設定されている目標ＳＩＲから第１および第２のアクティブセット削除ＳＩＲ閾値用オフセットを引くことにより算出される。
【００７７】
本実施形態のアクティブセット選択方法における動作を図５に示す。この図５では、セル１１０の伝播環境の劣化が著しく、上り高速信号に対する受信ＳＩＲが第１のアクティブセット削除ＳＩＲ閾値（アクティブセット削除ＳＩＲ閾値１）を下回り、更に第２のアクティブセット削除ＳＩＲ閾値（アクティブセット削除ＳＩＲ閾値２）をポイントＰ３で下回った場合、アクティブセット削除保護時間の経過を待つことなく、ポイントＰ３でＲＮＣ２００もしくは基地局１００はセル１１０の上り高速信号に対するアクティブセット削除処理を行うができる。
【００７８】
本実施形態のアクティブセット選択方法によれば、伝播環境が著しく劣化した場合のアクティブセット削除の制御がより高速になり、更に基地局のハードウェアリソースの浪費を抑えることができる。
【００７９】
（第４の実施形態）
次に、本発明の第４の実施形態のアクティブセット削除方法について説明する。本実施形態におけるアクティブセット削除方法は、あるセルの上り高速信号の受信状態が悪い場合に、基地局が主導でそのセルをアクティブセットから削除する場合の別の方法である。
【００８０】
図６に上り高速信号のアクティブセットのうちセル１１１では上り高速信号が正しく受信されており、セル１１０では正しく受信できていない場合を示す。通常、セル１１１のように上り高速信号が正しく受信された場合は、基地局１０１は、受信したユーザデータに制御信号を付加してＲＮＣ２００に送信するが、セル１１０のように受信状態が悪く図３や図４に示したようにアクティブセットから削除する条件を満たした場合、基地局１００は該当する移動端末１からの上り高速信号を受信するためのハードウェアリソースを解放し、ＲＮＣ２００に対しては制御信号のみのデータを、移動端末１からの上り高速信号のデータとして送信する。
【００８１】
基地局１００は、基地局１００が移動端末１からの上り高速信号に対するハードウェアリソースを既に解放したかどうかを示す情報ビットを制御信号に付加してＲＮＣ２００に送信する。ＲＮＣ２００は制御信号のみのデータを受信した時点で上記の情報ビットを参照し、基地局１００が既にリソースを解放している場合には、移動端末１に対してセル１１０に対する無線回線切断要求を送信する。
【００８２】
本実施形態のアクティブセット選択方法によれば、基地局からＲＮＣへ上り高速信号切断要求を送信することなく、制御信号のみのデータを送信するだけで、アクティブセットから削除するセルを伝達することができる。
【００８３】
（第５の実施形態）
次に、本発明の第５の実施形態のアクティブセット選択方法について説明する。本実施形態におけるアクティブセット選択方法は、あるセルの上り高速信号の受信状態が悪い場合に、基地局が主導でそのセルをアクティブセットから削除する場合のさらに別の方法である。
【００８４】
図２に示した第２の実施形態の場合、基地局でアクティブセットから削除する条件を満たした場合にＲＮＣに対して、上り高速信号の切断要求を送信していたが、この場合基地局とＲＮＣとの間で専用のシグナリングを必要とする。本実施形態は、基地局とＲＮＣとの間の従来の通信仕様を変更するとこなく本発明を実現することができるようにしたものである。
【００８５】
本実施形態のアクティブセット選択方法を図７を参照して説明する。本実施形態では基地局１００でアクティブセットから削除する条件を満たした場合、ＲＮＣ２００に対して対象の上り高速信号に対する「同期外れ」を通知する。ＲＮＣ２００は「同期外れ」を基地局から受信した場合、その無線回線を解放するので、専用のシグナリングを必要とせずに図２に示した第２の実施形態と同じ効果が期待できる。
【図面の簡単な説明】
【００８６】
【図１】本発明の第１の実施形態のアクティブセット選択方法を説明するための図である。
【図２】本発明の第２の実施形態のアクティブセット選択方法を説明するための図である。
【図３】基地局による上り高速信号に対するアクティブセットの削除条件の具体例を説明するための図である。
【図４】基地局による上り高速信号に対するアクティブセットの削除条件の具体例を説明するための図である。
【図５】本発明の第３の実施形態のアクティブセット選択方法を説明するための図である。
【図６】本発明の第４の実施形態のアクティブセット選択方法を説明するための図である。
【図７】本発明の第５の実施形態のアクティブセット選択方法を説明するための図である。
【図８】ＣＤＭＡ移動通信システムにおけるハンドオーバを説明するための図である。
【図９】従来の上り信号に対するアクティブセットの追加・削除方法を説明するための図である。
【図１０】従来の上り信号に対するアクティブセットの追加・削除方法を説明するための図である。
【符号の説明】
【００８７】
１    移動端末
２１    移動端末
１００、１０１    基地局
１１０、１１１    セル
２００    基地局制御装置（ＲＮＣ）
３００、３０１    基地局
３１０、３１１    セル
４００    基地局制御装置（ＲＮＣ）
【図１】
2006157555.tif 000003
【図２】
2006157555.tif 000004
【図３】
2006157555.tif 000005
【図４】
2006157555.tif 000006
【図５】
2006157555.tif 000007
【図６】
2006157555.tif 000008
【図７】
2006157555.tif 000009
【図８】
2006157555.tif 000010
【図９】
2006157555.tif 000011
【図１０】
2006157555.tif 000012